(57)【要約】      （修正有）【課題】採血管収容部に補充する採血管を間違えた無いようし、又作業者の精神的負担を軽減する採血管準備装置を提供する。【解決手段】採血管準備装置は、複数の採血管収容部を備え、医師からの採血オーダ情報に基づいて患者の採血に必要な採血管を取り出し、ラベル印字・貼付手段を用い、患者の採血に関する情報を印字し採血管に貼付け、患者毎に採血管を排出する準備装置において、採血管収容部を準備装置本体から引出し可能に構成する、又本体から引出しできないようにロック機構を採血管収容部毎に設け、各採血管収容部にある採血管の種類を予め記憶する記憶手段と、採血管収容部に補充する採血管の外箱に表示された採血管の種類の情報を読み取り、読取手段を介して入力された採血管の種類の情報と、記憶した採血管の種類を照合し、情報が合致する採血管収容部のロック機構を解除するように構成した制御手段とを設けた。【選択図】図１
2005067661.tif 000002
【特許請求の範囲】
【請求項１】
複数の採血管収容部を備え、医師からの採血オーダ情報に基づいて患者の採血に必要な採血管を対応する採血管収容部から取り出し、
ラベル印字・貼付手段を用いて、患者の採血に関する情報を印字して取り出した採血管に貼付け、
採血管回収部にてラベル貼付後の採血管を患者毎にできるようにラベル貼付後の採血管を排出する
ように構成された採血管準備装置において、
各採血管収容部を採血管準備装置本体から引出し可能に構成すると共に、
各採血管収容部を採血管準備装置本体から引出すことができないようにロックするロック機構を採血管収容部毎に設け、
各採血管収容部に収容されている採血管の種類を予め記憶する記憶手段と、
採血管収容部に補充すべき採血管の外箱に表示された採血管の種類に関する情報を読み取り可能な読取手段と、
前記読取手段を介して入力された採血管の種類に関する情報と、予め記憶した採血管の種類とを照合し、情報が合致する採血管収容部のロック機構のみ解除するように構成された制御手段とを設けた
ことを特徴とする採血管準備装置。
【請求項２】
補充すべき採血管の外箱にバーコードの形態で採血管の種類に関する情報が表示されており、
前記読取手段がバーコードリーダで構成されている
ことを特徴とする請求項１に記載の採血管準備装置。
【発明の詳細な説明】
【技術分野】
【０００１】
本発明は、患者の検査に必要な採血管を医師からのオーダに基づいて、全自動的に準備することができる採血管準備装置の改良に関する。
【背景技術】
【０００２】
採血後の採血管は、患者を特定するための何らかの情報を付けておかなければ、どの患者から採血したものか否かが分からなくなるため、採血前に予め採血管に採血すべき患者の氏名を記入する等して採血後の採血管を識別することができるようにしている。
また、近年は、殆どの場合、採血管に真空採血管が利用されるが、この真空採血管は、予め内部に反応薬や処理液等が収容されているため、検査の種類毎に専用の真空採血管が用意されている。従って、患者から採血を行う場合には、その患者の検査に利用可能な真空採血管を予め選択しておかなければならない。
このため、看護婦等の病院スタッフは、患者から採血を行う前に、予め、患者の検査に利用可能な真空採血管を、複数種類の採血管の中から選択して取り出し、取り出した各採血管に採血すべき患者の氏名を書き込むという非常に煩雑で神経を使う作業を強いられることになる。
これを解決するために採血管の準備を自動化することが可能な採血管準備装置を出願人は既に提案している（特許文献１参照）。
この採血管準備装置は、複数の採血管収容部を備え、各採血管収容部に予め採血管を収納しておき、複数ある採血管収容部の中から患者の採血に必要な採血管を選択して取り出すと共に、取り出した採血管に対応する患者に関する情報をラベルに印字して採血管に貼り付け、ラベル貼付後の採血管を患者毎にトレイや袋に収容するように構成されている。
【０００３】
【特許文献１】特許３０７０５２２号
【発明の開示】
【発明が解決しようとする課題】
【０００４】
上記したように構成された採血管準備装置は、その採血管収容部に採血管を補充する必要があるが、この採血管の補充は人間が行っている。
採血管収容部に間違った種類の採血管を補充してしまうと採血管準備装置が正確に作動していても準備された採血管は誤った採血管になってしまう。このため、この採血管収容部に採血管を補充する作業は、非常に慎重に行わなければならず、補充する作業者に多大な精神的負担を与える。そしてなにより、人間が行っている以上は、補充すべき採血管の種類を間違えてしまう可能性を完全に排除することができない。
出願人は、上記した従来の問題点に鑑みて、採血管収容部に間違えた種類の採血管を補充してしまう可能性を排除すると共に、補充する作業者の精神的負担を軽減することができる採血管準備装置を提供することを目的としている。
【課題を解決するための手段】
【０００５】
上記した目的を達成するために、本発明に係る採血管準備装置は、複数の採血管収容部を備え、医師からの採血オーダ情報に基づいて患者の採血に必要な採血管を対応する採血管収容部から取り出し、ラベル印字・貼付手段を用いて、患者の採血に関する情報を印字して取り出した採血管に貼付け、採血管回収部にてラベル貼付後の採血管を患者毎にできるようにラベル貼付後の採血管を排出する
ように構成された採血管準備装置において、各採血管収容部を採血管準備装置本体から引出し可能に構成すると共に、各採血管収容部を採血管準備装置本体から引出すことができないようにロックするロック機構を採血管収容部毎に設け、各採血管収容部に収容されている採血管の種類を予め記憶する記憶手段と、採血管収容部に補充すべき採血管の外箱に表示された採血管の種類に関する情報を読み取り可能な読取手段と、前記読取手段を介して入力された採血管の種類に関する情報と、予め記憶した採血管の種類とを照合し、情報が合致する採血管収容部のロック機構のみ解除するように構成された制御手段とを設けたことを特徴とする。
市販されている採血管の外箱には、通常、バーコードの形態で採血管の種類に関する情報を含む情報が表示されているため、好ましくは、前記読取手段はバーコードリーダであり得る。
【発明の効果】
【０００６】
本発明に係る採血管準備装置は、上記したように読取手段を介して入力した採血管の種類に関する情報と、記憶手段に予め記憶させておいた採血管の種類とを制御手段で照合し、情報が合致する採血管収容部のロック機構のみ解除するように構成されており、この構成により、補充すべき採血管とは異なる種類の採血管を収容した採血管収容部は引き出せなくなる。その結果、間違えた種類の採血管を採血管収容部に補充する可能性を完全に排除することができ、採血管準備装置の正確性及び信頼性を高めることができると共に、作業者自身が補充時に採血管の種類を照合する必要がないので、作業者の精神的負担も軽減することができる。
また、現在、採血管等の医療材料は物流管理の合理化及び受発注管理の合理化のために医療材料の梱包外箱及び包装単位でＥＡＮ−１２８のバーコード体系で表示することが義務付けられているので、前記読取手段としてバーコードリーダを用いると、補充時に補充すべき採血管の箱に表示されているバーコードをバーコードリーダで読み取らせるだけで照合を行うことが可能になり、より効率的に補充作業を行うことができるようになる。
【発明を実施するための最良の形態】
【０００７】
以下、添付図面に示した一実施例を参照して本発明に係る採血管準備装置を用いた採血管自動準備システムの実施の形態について説明していく。
【０００８】
図１は採血管自動準備システムの一実施例の正面図、図２は図１に示した採血管自動準備システムの上面図、図３は図１に示した採血管自動準備システムの右側面図である。
図面に示すように、この実施例においては、採血管自動準備システムは３つの採血管準備装置Ａ、Ｂ、Ｃと、一つの採血管回収装置Ｄとを横一列に並べて構成されている。
採血管準備装置Ａは最大８種類の採血管を処理できるように構成され、また、採血管準備装置Ｂ及びＣはそれぞれ最大４種類の採血管を処理できるように構成されており、各採血管準備装置は、横一列に並べて配置した時に一本の排出通路を構成するように排出コンベアが配置されている。
【０００９】
始めに採血管準備装置Ａの構成について説明する。
図４は採血管準備装置Ａの概略断面図、図５は採血管準備装置Ａに設けられた採血管収容部１を一つ引き出した状態での拡大図、図６は引き出された採血管収容部１の概略上面図を各々示している。
図４に示すように、この採血管準備装置Ａは８つの採血管収容部１を備えている。
各採血管収容部１は、二つのプーリ１ａ及び１ｂと、これらのプーリ１ａ及び１ｂ間に巻回された無端コンベア１ｃを備えている。無端コンベア１ｃの表面全周には径方向外方に延びる仕切板１ｄが、二つの仕切板間で一本の採血管ａをコンベア１ｃの長手方向に対して直行する方向に寝かせた状態で保持するように等間隔に多数設けられている。
前記プーリ１ａは、採血管準備装置Ａ本体に設けられたモータ２により、カップリング３、カップリング１ｅ、タイミングベルト１ｆ及びウォームギヤ１ｇを介して回転駆動され、これによりコンベア４が一定量周方向に回転して採血管ａが前方に送られる。
この採血管収容部１は、図５及び図６に示すように、スライドレール７に沿って引き出し可能に構成されており、使用者は、必要に応じて採血管収容部１を手前に引き出して、採血管を補充する。
図５において採血管収容部１の底面に設けられている下方に突出した部材は、ロックブロック８であり、また、符号９で示す部材は、採血管準備装置Ａ側に設けられたロック機構である。ロック機構９は、スプリング９ａによって装置外方に付勢された押出しピン９ｂと、常時、スプリング（符号なし）によって上方に付勢されたロックピン９ｄと、このロックピン９ｄを開錠するためのモータ９ｃとを備えている。
引き出された採血管収容部１をスライドレール７に沿って採血管準備装置Ａに押し込むと、始めに採血管収容部１のロックブロック８が前記ロックピン９ｄに当たる。この状態からさらに採血管収容部１を押し込むとロックブロック８がロックピン９ｄを押し下げて進み、次に、同ロックブロック８が押出しピン９ｂに当る。この状態から、スプリング９ａの力に抗してさらに採血管収容部１を押し込むと、押出しピン９ｂが凹んで採血管収容部１はさらに奥に入り、かつ、ロックピン９ｄがロックブロック８のロック孔に挿入され、採血管収容部１がロックされる。この状態で、採血管収容部１は、採血管準備装置Ａに完全に収容され、ロック機構９によりロックされているため、ロックを外さない限り引き出せない状態になる。
図１及び図４に示すように、この採血管準備装置Ａには、バーコードリーダＥ１が設けられている。
そして、任意の採血管収容部１に採血管を補充する時には、使用者が、補充すべき採血管の外箱の表面に表示されたバーコードを前記バーコードリーダＥ１に読み込ませる。尚、現在、採血管等の医療材料は物流管理の合理化及び受発注管理の合理化のために医療材料の梱包外箱及び包装単位でＥＡＮ−１２８のバーコード体系で表示することが義務付けられているので、補充すべき採血管の収容ケースにもバーコードが表示されており、このバーコードには、採血管の種類に関する情報が含まれている。
バーコードリーダＥ１は、読み込んだ情報を制御装置Ｅ（採血管自動準備システム全体を制御する上位コンピュータでもよく、各採血管準備装置Ａに設けた制御装置でもよい。）に送る。
制御装置Ｅは、不図示の記憶手段を備えており、この記憶手段には、各採血管収容部と、そこに収容されている採血管の種類とが関連付けて記憶されている。
制御装置Ｅは、バーコードリーダＥ１から入力した採血管の種類に関する情報と、予め登録された情報とを照合し、バーコードリーダＥ１から入力した採血管の種類と合致する採血管を収容した採血管収容部１のロック機構９のモータ９ｃが開錠のために作動するように構成されている。
モータ９によりロックピン９ｄが下方に下がりロックが解除されると、スプリング９ａの力で押出しピン９ｂがロックブロック８を押し、対応する採血管収容部１が採血管準備装置Ａから押出される。
尚、現在は、医療材料の梱包外箱等に医療材料に関する情報がバーコードで表示されているが、例えば、これが無線タグ等の他の記憶媒体に変更された場合には、バーコードリーダＥ１や制御装置Ｅは、記憶媒体の種類に応じて適宜変更され得ることは勿論である。
このように、採血管収容部１に収容すべき採血管の種類を予め制御装置Ｅの記憶手段に登録しておき、補充すべき採血管の外箱に予め表示されたバーコードをバーコードリーダに読み込ませ、制御装置Ｅで照合を行い、外箱のバーコード情報に含まれる採血管の種類と同じ種類の採血管を収容した採血管収容部１のロック機構９のみを解除するように構成することにより、使用者が間違った採血管を採血管収容部１に入れてしまうことがなくなる。
また、ロック解除時に採血管収容部１が、押し出しピン９ｂの作用で少し押し出されるように構成することにより、使用者はどの採血管収容部１に採血管を補充すべきかが一目で分かるようになるので、補充作業が非常に簡単になる。
【００１０】
上記したように構成された採血管収容部１は、図４に示すように、８段に重ねて略水平に配置される。
採血管収容部１の前方には、垂直方向に延びる採血管移送コンベア１０が設けられている。この採血管移送コンベア１０には、採血管受取台１０ａが等間隔に多数設けられている（図４では一部のみを表示している）。
制御装置Ｅが患者の検査に必要な採血管を収容した採血管収容部１のモータ２を駆動させてコンベア１ｃを回転させると、採血管ａがコンベア１ｃから直接前記採血管受取台１０ａ上に受け渡される。
採血管移送コンベア１０は、受取った採血管ａを、コンベア１０の上方に配置されたラベル印字・貼付手段１１まで移送する。
ラベル印字・貼付手段１１は、待機ロール１１ａ、方向検知センサ１１ｂ、プリンタ１１ｃ、ラベル付き台紙供給ローラ１１ｄ、台紙回収ローラ１１ｅ、貼付ローラ１１ｆ、加圧台１１ｇ、補助ローラ１１ｈ及び剥離板１１ｉを備えている（図４及び図７参照）。
方向検知センサ１１ｂは待機ロール１１ａの上方に配置されている。このセンサ１１ｂは、待機ロール１１ａにある採血管ａの向きを検知し、その情報をプリンタ１１ｃに送る。
プリンタ１１ｃは、センサ１１ｂから入力した情報に基づいて、採血管ａの向きに合わせてラベルに必要情報を印字する。ラベルには、制御装置Ｅからの情報に基づいて患者に関する情報に加えて患者の採血に必要な情報が文字及びバーコードで印字される。
一方、センサ１１ｂで採血管ａの向きが検出された後、待機ロール１１ａが回転し、待機ロール１１ａから加圧台１１ｇ上に採血管ａが落とされ、次いで、加圧台１１ｇが採血管ａを上方に押し上げ、採血管ａは、加圧台１１ｇ、貼付ローラ１１ｆ及び補助ローラ１１ｈで三点支持される（図７（ａ）参照）。
この状態で、貼付ローラ１１ｆが回転し、それにより、採血管ａが回転して印字済みラベルが採血管ａの表面に貼り付けられる。
ラベルの貼付が完了すると、加圧台１１ｇが下方に下がり、採血管ａは加圧台１１ｇの下方にある排出コンベア１４上に落ちる（図７（ｃ）参照）。
排出コンベア１４上に落とされた採血管ａは、隣接する採血管準備装置Ｂ及びＣの排出コンベアを介して採血管回収装置Ｄまで移送される。
【００１１】
次に、採血管準備装置Ｂ及びＣの構成について説明する。尚、採血管準備装置Ｂ及びＣは同じ構成なので、ここでは採血管準備装置Ｂの構成についてのみ説明をする。
図８は採血管準備装置Ｂの概略断面図である。
図８に示すように、この採血管準備装置Ｂは４つの採血管収容部２０を備えている。
４つの採血管収容部２０は、前が下方に下がるように斜めに収容されている。収容された採血管収容部２０の最前部に対応する位置には、押出手段２１が設けられている。この押出手段２１は、採血管収容部２０の底面に形成された開口を介して採血管収容部２０の中に入り込み、その最前部に位置する採血管を採血管収容部２０の上方に押出し、待機ロール２２に供給する。
４つの採血管収容部２０は重ねて配置され、その前方には垂直方向に延びる採血管移送コンベア２３が設けられている。この採血管移送コンベア２３には、採血管受取台２３ａが設けられている。
制御装置Ｅが患者の検査に必要な採血管を収容した採血管収容部２０に対応する待機ロール２２を駆動させると、待機ロール２２が回転して採血管が採血管受取台２３ａに受け渡される。
採血管移送コンベア２３は、受取った採血管を、コンベア２３の上方に配置されたラベル印字・貼付手段２４まで移送する。
ラベル印字・貼付手段２４は、待機ロール２４ａ、方向検知センサ２４ｂ、プリンタ２４ｃ、ラベル付き台紙供給ローラ２４ｄ、台紙回収ローラ２４ｅ、貼付ローラ２４ｆ、加圧台２４ｇ、補助ローラ２４ｈ及び剥離板（符号なし）を備えている。
このラベル印字・貼付手段２４の作用は、先に説明したラベル印字・貼付手段１１の作用と同じなので、ここでは詳細な説明は省略する。
ラベル貼付後の採血管ａは、ラベル印字・貼付手段２４の下方に位置する排出コンベア２７上に落とされ、隣接する採血管準備装置Ｃの排出コンベアを介して採血管回収装置Ｄまで移送される。
【００１２】
次に、上述した採血管準備装置Ａ〜Ｃと並べて配置される採血管回収装置Ｄの構成について説明する。
図１及び図２に示すように、この採血管回収装置Ｄは、採血管準備装置と並べて配置した時に、採血管準備装置の排出コンベアと一直線上に繋がる回収コンベア３０が設けられている。
図３及び図９に示すように、この回収コンベア３０はモータ３１により駆動され、その下方には採血管受渡用のローラ３２が配置されている。
そして、コンベア３０上の採血管ａは、コンベア３０に設けられたガイド３０ａに沿って移動しコンベア３０の側方から、採血管回収部として機能するトレイＴの真上に配置された前記採血管受渡用ローラ３２の上に落ちる。
採血管受渡用ローラ３２は、採血管ａがコンベア３０から落下してくる時に、その採血管受取溝３２ａが採血管ａの落下位置からずれるようにされている。これにより、コンベア３０から落下してきた採血管ａは、採血管受渡用ローラ３２の表面で受け止められる。
この状態で、採血管ａが採血管受取溝３２ａに入らないように採血管受渡用ローラ３２を左右に回動させることにより採血管ａを回転させ、その間に、上方に配置されたバーコードリーダ３３により採血管ａに貼り付けられたラベルのバーコードを読み取る。尚、この採血管受渡用ローラ３２の表面は、採血管ａを回転し易いように、好ましくは、摩擦抵抗の大きい材料、例えば、ゴム等で形成され得る。
バーコードリーダ３３は、制御装置Ｅに読み取った情報を送り、制御装置Ｅは、バーコードリーダ３３により読み取った情報と、採血管準備装置Ａ〜Ｃへ出力した患者の検査に関する情報（即ち、医師からのオーダ情報）とを照合する。
照合の結果、問題がない場合には、制御装置Ｅは採血管受渡用ローラ３２を所定の方向に回転させ、採血管受渡用ローラ３２の採血管受取溝３２ａに採血管ａを入れて、採血管ａを、その真下に位置するトレイＴに落とす。
照合の結果、問題がある場合、即ち、バーコードリーダ３３により読み取った情報が、医師からのオーダ情報と合致しない場合には、制御装置Ｅは、システム全体の処理を停止して、使用者に誤った採血管ａが排出されている旨を警告する。この警告方法は、例えば、ブザーによるものでもよいし、ランプによるものでもよいし、その旨を表示することでもよい。
このように、医師からのオーダに基づいて制御装置Ｅにより採血管準備装置Ａ〜Ｃを動作させるだけでなく、採血管準備装置Ａ〜Ｃで処理された採血管ａをトレイＴに入れる直前（この実施例では、トレイＴの真上）に、医師からのオーダ情報と照合することにより、採血管準備装置Ａ〜Ｃによる処理のミスや処理後の採血管ａのトレイＴへの入れ間違いが完全に予防でき、より正確な採血管準備が可能になる。
また、ラベル貼付後の採血管ａは、照合後に、採血管受渡用ローラ３２の採血管受取溝３２ａに入れられた状態でトレイＴの直ぐ上まで運ばれて、トレイＴに入れられるので、トレイＴで採血管ａが跳ねて、トレイＴから採血管ａが飛び出してしまう等の問題も生じない。
【００１３】
患者一人分の採血管ａがトレイＴに収容されると、トレイＴはトレイ搬送コンベア３４により、採血指示書発行装置３５の前に移送され、同時に、空トレイ収容部Ｄ１から空のトレイＴが採血管受渡用ローラ３２の真下まで運ばれる。
採血指示書発行装置３５は、制御装置Ｅからの情報に基づいて、採血指示書Ｓ（及び必要に応じて手貼ラベル）を印字して排出する。この採血指示書Ｓ（及び必要に応じて手貼ラベル）には、患者に関する情報に加えて患者の採血に必要な情報が文字及びバーコードで印字される。
採血指示書発行装置３５における指示書排出部３５ａの上方にはバーコードリーダ３６が配置されており、このバーコードリーダ３６は採血指示書発行装置３５から出力された採血指示書Ｓ（及び必要に応じて手貼ラベル）に印字されたバーコードを読み取る。
バーコードリーダ３６は読み取った情報を制御装置Ｅに送り、制御装置Ｅはバーコードリーダ３６により読み取った情報と、採血管準備装置Ａ〜Ｃへ出力した患者の検査に関する情報（即ち、医師からのオーダ情報）とを照合する。
照合の結果、問題がない場合には、制御装置Ｅは採血指示書発行装置３５に処理の継続を許可し、採血指示書発行装置３５は、出力した採血指示書Ｓを不図示のカッターで切断して、指示書受取台３７上に排出する。
照合の結果、問題がある場合、即ち、バーコードリーダ３６により読み取った情報が、医師からのオーダ情報と合致しない場合には、制御装置Ｅは、システム全体の処理を停止して、使用者に誤った採血管が排出されている旨を警告する。
上記した処理は手貼ラベルが必要な場合には、全ての手貼ラベルが発行されるまで繰り返される。
このように、医師からのオーダに基づいて制御装置Ｅにより採血管準備装置Ａ〜Ｃを動作させるだけでなく、採血指示書（及び必要に応じて手貼ラベル）をトレイＴに入れる直前に、医師からのオーダ情報と採血指示書（及び必要に応じて手貼ラベル）の内容とを照合することにより、指示書発行装置による印字ミス等を完全に予防でき、より正確な採血管準備が可能になる。
【００１４】
前記した指示書受取台３７は、トレイＴの真上に配置されている。この指示書受取台３７は、図９に示すように櫛状の板部材で形成され、ラックアンドピニオン機構３８により枠体３９に沿って前後に移動できるように構成されている。枠体３９には規制板４０が設けられている。
上記したように構成された指示書受取台３７は、指示書発行前は最前部に位置する（図１０（ａ１）及び（ａ２）参照）。
そして、採血指示書発行装置３５が採血指示書Ｓ（及び必要に応じて手貼ラベル）を指示書受取台３７上に排出した後（図１０（ｂ１）及び（ｂ２）参照）、ラックアンドピニオン機構３８により枠体３９に沿って後方に移動される。採血指示書受取台３７が後方に移動する途中で、採血指示書Ｓ（及び必要に応じて手貼ラベル）は規制板４０により後方への移動が規制され（図１０（ｃ１）及び（ｃ２）参照）、指示書受取台３７のさらなる後方への移動により、採血指示書Ｓ（及び必要に応じて手貼ラベル）の下方から指示書受取台３７がなくなり、採血指示書Ｓは指示書受取台３７から解放されて真下に位置するトレイＴ内へ落下する（図１０（ｄ１）及び（ｄ２）参照）。
このように、採血指示書発行装置３５からトレイＴに採血指示書Ｓ（及び必要に応じて手貼ラベル）直接を入れるのではなく、トレイＴの真上に設けた指示書受取台３７で採血指示書Ｓ（及び必要に応じて手貼ラベル）を受取った後、指示書受取台３７を後方に下げることにより、採血指示書Ｓを指示書受取台３７から解放してトレイＴに落とすように構成することにより、採血指示書Ｓ（及び必要に応じて手貼ラベル）を確実にトレイＴの中に落とすことが可能になり、かつ、採血指示書Ｓ（及び必要に応じて手貼ラベル）がトレイＴの中でひっくり返ることもない。そして、さらに採血指示書Ｓ（及び必要に応じて手貼ラベル）はどのトレイＴに対しても同じ位置に落とされることになる。これにより、採血指示書発行装置３５から発行された採血指示書Ｓ（及び必要に応じて手貼ラベル）がトレイＴに予定通りに入らない等の問題は解消され、また、トレイＴには、常に同じ位置に、かつ、表向きに採血指示書Ｓ（及び必要に応じて手貼ラベル）が入ることになるので、採血作業者が採血指示書を取り扱い易くなるという効果も奏する。
採血指示書Ｓ（及び必要に応じて手貼ラベル）が入れられたトレイＴは、処理済トレイ移送コンベア５０上に押出され、処理済トレイ収容部Ｄ２に収容される（図２及び図３参照）。
【００１５】
最後に、上記したように構成された採血管自動準備システム全体の作用について簡単に説明する。
この採血管自動準備システムは、医師からの採血オーダ情報に基づいて制御装置Ｅにより制御される。
制御装置Ｅは、予め各採血管準備装置Ａ〜Ｃの各採血管収容部１及び２０に収容されている採血管の種類を記憶しており、医師からの採血オーダ情報を受取ると、患者の検査に必要な採血管ａを収容した採血管準備装置Ａ〜Ｃを作動させる。
患者の検査に必要な採血管ａを収容した採血管準備装置Ａ〜Ｃの採血管収容部１又は２０から必要な採血管ａを取り出し、その採血管を採血管準備装置Ａ〜Ｃのラベル印字・貼付手段に送る。
そして、ラベル印字・貼付手段において、その患者に関する情報と患者の採血に関する情報を文字及びバーコードの形態でラベルに印字した後、移送されてきた採血管ａに印字済のラベルを貼付け、排出コンベア１４及び２７で採血管回収装置Ｄまで移送する。
採血管回収装置Ｄでは、移送されてきた採血管ａに貼り付けられたラベルのバーコードを、トレイＴに入れる直前にバーコードリーダ３３で読み取り、読み取った情報は制御装置Ｅにて医師からのオーダ情報と照合される。
照合確認が取れた採血管ａは、採血管受渡用ローラ３２を介してトレイＴに入れられる。
上記の処理が、トレイＴに一人分の患者に必要な採血管ａが全て入れられるまで繰り返され、患者に必要な採血管ａが全てトレイＴに入れられた後、トレイＴは採血指示書発行装置３５まで移送される。
採血指示書発行装置３５は、制御装置Ｅから採血オーダ情報を入力し、その情報に基づいて、その患者に関する情報と患者の採血に関する情報を文字及びバーコードの形態で採血指示書Ｓに印字して出力する。
出力された採血指示書Ｓに印字されたバーコードを、バーコードリーダ３６で読み取り、読み取った情報は制御装置Ｅにて医師からのオーダ情報と照合される。
照合確認が取れた後、採血指示書Ｓは採血指示書発行装置３５から切り離され、指示書受取台３７上に排出され、次いで、指示書受取台３７が可動して採血指示書ＳをトレイＴに入れる。
全ての処理が終了したトレイ、即ち、ラベル貼付後の採血管と採血指示書が入れられたトレイは、処理済トレイ収容部Ｄ２に収容される。
【００１６】
尚、上記した実施例では、最大８種類の採血管を収容可能な採血管準備装置Ａにのみロック機構９が設けられている例を挙げて説明しているが、これは本実施例に限定されることなく、４種類の採血管を収容可能な採血管準備装置Ｂ及びＣにロック機構を設けてもよいことは勿論である。
また、本実施例では採血管準備装置Ａは、採血管収容部１を８つ備えているが、これは本実施例に限定されることなく、必要に応じて、さらに数を増やしてもよいことは勿論である。また、採血管準備装置Ａの採血管収容部１の構成は本実施例に限定されることなく、採血管準備装置Ａに水平に配置され、かつ、収容された採血管を前方に配置された採血管移送コンベアまで順次コンベアで移送できるように構成されていれば任意の構成でよい。
また、上記した実施例は、採血管準備装置Ａ〜Ｃ及び採血管回収装置Ｄに各々排出コンベア１４、２７及び回収コンベア３０を設け、採血管準備装置Ａ〜Ｃ及び採血管回収装置Ｄを並べて配置した時に、前記コンベア１４、２７及び３０が一本の通路を構成するように構成しているが、これは本実施例に限定されることなく、例えば、全てのコンベア１４、２７及び３０を一つのコンベアで構成してもよい。
【図面の簡単な説明】
【００１７】
【図１】採血管自動準備システムの一実施例の正面図である。
【図２】図１に示した採血管自動準備システムの上面図である。
【図３】図１に示した採血管自動準備システムの右側面図である。
【図４】採血管準備装置Ａの概略断面図である。
【図５】採血管準備装置Ａに設けられた採血管収容部１を一つ引き出した状態での拡大図である。
【図６】引き出された採血管収容部１の概略上面図である。
【図７】（ａ）及び（ｂ）は共にラベル印字・貼付手段の部分拡大図であり、（ａ）はラベルを貼付中の状態を、（ｂ）は採血管排出時の状態を各々示している。
【図８】採血管準備装置Ｂの概略断面図である。
【図９】採血管回収装置Ｄの部分拡大図である。
【図１０】（ａ１）〜（ｄ１）は、指示書受取台３７の作用を示す図であり、（ａ２）〜（ｄ２）は各々（ａ１）〜（ｄ１）に対応する概略Ａ−Ａ断面図である。
【符号の説明】
【００１８】
Ａ  採血管準備装置
Ｂ  採血管準備装置
Ｃ  採血管準備装置
Ｄ  採血管回収装置
Ｄ１  空トレイ収容部
Ｄ２  処理済トレイ収容部
Ｅ  制御装置
Ｅ１  バーコードリーダ
ａ  採血管
Ｔ  トレイ
Ｓ  採血指示書（手貼りラベル）
採血管準備装置Ａの構成
１  採血管収容部
１ａ  プーリ
１ｂ  プーリ
１ｃ  無端コンベア
１ｄ  仕切板
１ｅ  カップリング
１ｆ  タイミングベルト
１ｇ  ウォームギヤ
２  モータ
３  カップリング
７  スライドレール
８  ロックブロック
９  ロック機構
９ａ  スプリング
９ｂ  押出しピン
９ｃ  モータ
９ｄ  ロックピン
１０  採血管移送コンベア
１０ａ  採血管受取台
１１  ラベル印字・貼付手段
１１ａ  待機ロール
１１ｂ  方向検知センサ
１１ｃ  プリンタ
１１ｄ  ラベル付き台紙供給ローラ
１１ｅ  台紙回収ローラ
１１ｆ  貼付ローラ
１１ｇ  加圧台
１１ｈ  補助ローラ
１１ｉ  剥離板
１４  排出コンベア
採血管準備装置Ｂ及びＣの構成
２０  採血管収容部
２１  押出手段
２２  待機ロール
２３  採血管移送コンベア
２３ａ  採血管受取台
２４  ラベル印字・貼付手段
２４ａ  待機ロール
２４ｂ  方向検知センサ
２４ｃ  プリンタ
２４ｄ  ラベル付き台紙供給ローラ
２４ｅ  台紙回収ローラ
２４ｆ  貼付ローラ
２４ｇ  加圧台
２４ｈ  補助ローラ
２７  排出コンベア
採血管回収装置Ｄの構成
３０  回収コンベア
３０ａ  ガイド
３１  モータ
３２  採血管受渡用ローラ
３２ａ  採血管受取溝
３３  バーコードリーダ
３４  トレイ搬送コンベア
３５  採血指示書発行装置
３６  バーコードリーダ
３７  指示書受取台
３８  ラックアンドピニオン機構
３９  枠体
４０  規制板
５０  処理済トレイ移送コンベア
【図１】
2005067661.tif 000003
【図２】
2005067661.tif 000004
【図３】
2005067661.tif 000005
【図４】
2005067661.tif 000006
【図５】
2005067661.tif 000007
【図６】
2005067661.tif 000008
【図７】
2005067661.tif 000009
【図８】
2005067661.tif 000010
【図９】
2005067661.tif 000011
【図１０】
2005067661.tif 000012